【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
被写体像を撮影する撮像手段と、
上記撮像手段で撮影される被写体像から所定の特徴を有する物体を検出する検出手段と、
上記検出手段で検出した所定の特徴を有する物体が所定時間静止しているかを判断する静止判断手段と、
上記静止判断手段で静止と判断された上記所定の特徴を有する物体の当該画像中での位置に基づいて当該画像中の一部範囲を指定する範囲指定手段と、
上記範囲指定手段で当該画像中の一部範囲が指定された場合に、当該一部範囲が決定したことを報知する報知手段と、
上記報知手段による報知後に上記範囲指定手段で指定された当該一部範囲を撮影するよう制御する撮影制御手段と
を具備したことを特徴とする撮像装置。
【請求項２】
さらに、上記撮像手段により撮影された被写体像の顔を検出する顔検出手段を備え、
上記検出手段は、上記顔検出手段により検出された顔に基づく所定の範囲内で上記所定の特徴を有する物体を検出することを特徴とする請求項１記載の撮像装置。
【請求項３】
上記範囲指定手段は、上記検出した所定の特徴を有する物体の当該被写体像での位置を、上記一部範囲とそれ以外の範囲との境界上の１点として指定することを特徴とする請求項１または２記載の撮像装置。
【請求項４】
上記範囲指定手段は、上記検出した所定の特徴を有する物体の当該被写体像での位置を、上記一部範囲の中心として指定することを特徴とする請求項１または２記載の撮像装置。
【請求項５】
上記検出手段は、上記撮像手段での撮影により得る被写体像から所定の特徴を有する物体を複数検出し、
上記範囲指定手段は、当該被写体像での上記複数検出した所定の特徴を有する物体の夫々の位置に基づいて上記一部範囲を指定する
ことを特徴とする請求項１または２記載の撮像装置。
【請求項６】
上記一部の範囲は矩形であり、
上記範囲指定手段は、当該被写体像での上記複数検出した所定の特徴を有する物体の夫々の位置を、上記矩形を形成する頂点として指定する
ことを特徴とする請求項５記載の撮像装置。
【請求項７】
上記一部の範囲は矩形であり、
上記範囲指定手段は、当該被写体像での上記複数検出した所定の特徴を有する物体の夫々の位置を、上記矩形を形成する辺上の１点として指定する
ことを特徴とする請求項５記載の撮像装置。
【請求項８】
上記検出手段は、上記撮像手段で撮影される被写体像から、上記所定の特徴を有する物体として所定の形状をした人の手を検出することを特徴とする請求項１乃至７の何れかに記載の撮像装置。
【請求項９】
上記撮影制御手段は、上記範囲指定手段で指定された一部範囲が撮影範囲に含まれるように上記撮像手段を制御することを特徴とする請求項１乃至８の何れかに記載の撮像装置。
【請求項１０】
上記撮像手段での撮像により得る画像の撮影範囲を変更するズーム手段をさらに具備し、
上記撮影制御手段は、上記範囲指定手段で指定された一部範囲が撮影範囲に含まれるように上記ズーム手段を制御する
ことを特徴とする請求項９記載の撮像装置。
【請求項１１】
上記撮像手段が撮像する方向を移動させる移動手段をさらに具備し、
上記撮影制御手段は、上記範囲指定手段で指定された一部範囲が、上記撮像手段が撮像する方向の中心となるように上記移動手段を制御することを特徴とする請求項１乃至１０の何れかに記載の撮像装置。
【請求項１２】
上記撮影制御手段での撮影により得た画像に基づき、上記撮像手段での撮像により得る画像をトリミングして上記一部範囲の画像を記録させる記録手段をさらに具備したことを特徴とする請求項１乃至１１の何れかに記載の撮像装置。
【請求項１３】
上記記録手段は、トリミングした上記一部範囲の画像を所定の倍率まで拡大して記録させることを特徴とする請求項１２記載の撮像装置。
【請求項１４】
上記撮影制御手段は、上記範囲指定手段で指定した一部範囲に含まれる被写体像に応じて合焦動作、及び露出調整動作の少なくとも一方を制御する
ことを特徴とする請求項１乃至１３の何れかに記載の撮像装置。
【請求項１５】
撮像部で撮影される被写体像から所定の特徴を有する物体を検出する検出ステップと、
上記検出手段で検出した所定の特徴を有する物体が所定時間静止しているかを判断する静止判断ステップと、
上記静止判断ステップで静止と判断された上記所定の特徴を有する物体の当該画像中での位置に基づいて当該画像中の一部範囲を指定する範囲指定ステップと、
上記範囲指定ステップで当該画像中の一部範囲が指定された場合に、当該一部範囲が決定したことを報知する報知ステップと、
上記報知ステップによる報知後に上記範囲指定ステップにて指定された当該一部範囲を撮影するよう制御する撮影制御ステップと
を含むことを特徴とする撮像方法。
【請求項１６】
被写体像を撮影する撮像部を備えた装置が内蔵したコンピュータを、
上記撮像部で撮影される被写体像から所定の特徴を有する物体を検出する検出手段、
上記検出手段で検出した所定の特徴を有する物体が所定時間静止しているかを判断する静止判断手段、
上記静止判断手段で静止と判断された上記所定の特徴を有する物体の当該画像中での位置に基づいて当該画像中の一部範囲を指定する範囲指定手段、
上記範囲指定手段で当該画像中の一部範囲が指定された場合に、当該一部範囲が決定したことを報知する報知手段、
上記報知手段による報知後に上記範囲指定手段によって指定された当該一部範囲を撮影するよう制御する撮影制御手段
として機能させることを特徴とするプログラム。
【手続補正２】
【補正対象書類名】明細書
【補正対象項目名】０００５
【補正方法】変更
【補正の内容】
【０００５】
請求項１記載の発明は、被写体像を撮影する撮像手段と、上記撮像手段で撮影される被写体像から所定の特徴を有する物体を検出する検出手段と、上記検出手段で検出した所定の特徴を有する物体が所定時間静止しているかを判断する静止判断手段と、上記静止判断手段で静止と判断された上記所定の特徴を有する物体の当該画像中での位置に基づいて当該画像中の一部範囲を指定する範囲指定手段と、上記範囲指定手段で当該画像中の一部範囲が指定された場合に、当該一部範囲が決定したことを報知する報知手段と、上記報知手段による報知後に上記範囲指定手段で指定された当該一部範囲を撮影するよう制御する撮影制御手段とを具備したことを特徴とする。
請求項２記載の発明は、上記請求項１記載の発明において、さらに、上記撮像手段により撮影された被写体像の顔を検出する顔検出手段を備え、上記検出手段は、上記顔検出手段により検出された顔に基づく所定の範囲内で上記所定の特徴を有する物体を検出することを特徴とする。
【手続補正３】
【補正対象書類名】明細書
【補正対象項目名】０００６
【補正方法】変更
【補正の内容】
【０００６】
請求項３記載の発明は、上記請求項１または２記載の発明において、上記範囲指定手段は、上記検出した所定の特徴を有する物体の当該被写体像での位置を、上記一部範囲とそれ以外の範囲との境界上の１点として指定することを特徴とする。
【手続補正４】
【補正対象書類名】明細書
【補正対象項目名】０００７
【補正方法】変更
【補正の内容】
【０００７】
請求項４記載の発明は、上記請求項１または２記載の発明において、上記範囲指定手段は、上記検出した所定の特徴を有する物体の当該被写体像での位置を、上記一部範囲の中心として指定することを特徴とする。
【手続補正５】
【補正対象書類名】明細書
【補正対象項目名】０００８
【補正方法】変更
【補正の内容】
【０００８】
請求項５記載の発明は、上記請求項１または２記載の発明において、上記検出手段は、上記撮像手段での撮影により得る被写体像から所定の特徴を有する物体を複数検出し、上記範囲指定手段は、当該被写体像での上記複数検出した所定の特徴を有する物体の夫々の位置に基づいて上記一部範囲を指定することを特徴とする。
【手続補正６】
【補正対象書類名】明細書
【補正対象項目名】０００９
【補正方法】変更
【補正の内容】
【０００９】
請求項６記載の発明は、上記請求項５記載の発明において、上記一部の範囲は矩形であり、上記範囲指定手段は、当該被写体像での上記複数検出した所定の特徴を有する物体の夫々の位置を、上記矩形を形成する頂点として指定することを特徴とする。
【手続補正７】
【補正対象書類名】明細書
【補正対象項目名】００１０
【補正方法】変更
【補正の内容】
【００１０】
請求項７記載の発明は、上記請求項５記載の発明において、上記一部の範囲は矩形であり、上記範囲指定手段は、当該被写体像での上記複数検出した所定の特徴を有する物体の夫々の位置を、上記矩形を形成する辺上の１点として指定することを特徴とする。
【手続補正８】
【補正対象書類名】明細書
【補正対象項目名】００１１
【補正方法】変更
【補正の内容】
【００１１】
請求項８記載の発明は、上記請求項１乃至７の何れかに記載の発明において、上記検出手段は、上記撮像手段で撮影される被写体像から、上記所定の特徴を有する物体として所定の形状をした人の手を検出することを特徴とする。
【手続補正９】
【補正対象書類名】明細書
【補正対象項目名】００１２
【補正方法】変更
【補正の内容】
【００１２】
請求項９記載の発明は、上記請求項１乃至８の何れかに記載の発明において、上記撮影制御手段は、上記範囲指定手段で指定された一部範囲が撮影範囲に含まれるように上記撮像手段を制御することを特徴とする。
【手続補正１０】
【補正対象書類名】明細書
【補正対象項目名】００１３
【補正方法】変更
【補正の内容】
【００１３】
請求項１０記載の発明は、上記請求項９記載の発明において、上記撮像手段での撮像により得る画像の撮影範囲を変更するズーム手段をさらに具備し、上記撮影制御手段は、上記範囲指定手段で指定された一部範囲が撮影範囲に含まれるように上記ズーム手段を制御することを特徴とする。
【手続補正１１】
【補正対象書類名】明細書
【補正対象項目名】００１４
【補正方法】変更
【補正の内容】
【００１４】
請求項１１記載の発明は、上記請求項１乃至１０の何れかに記載の発明において、上記撮像手段が撮像する方向を移動させる移動手段をさらに具備し、上記撮影制御手段は、上記範囲指定手段で指定された一部範囲が、上記撮像手段が撮像する方向の中心となるように上記移動手段を制御することを特徴とする。
【手続補正１２】
【補正対象書類名】明細書
【補正対象項目名】００１５
【補正方法】変更
【補正の内容】
【００１５】
請求項１２記載の発明は、上記請求項１乃至１１の何れかに記載の発明において、上記撮影制御手段での撮影により得た画像に基づき、上記撮像手段での撮像により得る画像をトリミングして上記一部範囲の画像を記録させる記録手段をさらに具備したことを特徴とする。
【手続補正１３】
【補正対象書類名】明細書
【補正対象項目名】００１６
【補正方法】変更
【補正の内容】
【００１６】
請求項１３記載の発明は、上記請求項１２記載の発明において、上記記録手段は、トリミングした上記一部範囲の画像を所定の倍率まで拡大して記録させることを特徴とする。
【手続補正１４】
【補正対象書類名】明細書
【補正対象項目名】００１７
【補正方法】削除
【補正の内容】
【手続補正１５】
【補正対象書類名】明細書
【補正対象項目名】００１９
【補正方法】変更
【補正の内容】
【００１９】
請求項１５記載の発明は、撮像部で撮影される被写体像から所定の特徴を有する物体を検出する検出ステップと、上記検出手段で検出した所定の特徴を有する物体が所定時間静止しているかを判断する静止判断ステップと、上記静止判断ステップで静止と判断された上記所定の特徴を有する物体の当該画像中での位置に基づいて当該画像中の一部範囲を指定する範囲指定ステップと、上記範囲指定ステップで当該画像中の一部範囲が指定された場合に、当該一部範囲が決定したことを報知する報知ステップと、上記報知ステップによる報知後に上記範囲指定ステップにて指定された当該一部範囲を撮影するよう制御する撮影制御ステップとを含むことを特徴とする。
【手続補正１６】
【補正対象書類名】明細書
【補正対象項目名】００２０
【補正方法】変更
【補正の内容】
【００２０】
請求項１６記載の発明は、被写体像を撮影する撮像部を備えた装置が内蔵したコンピュータを、上記撮像部で撮影される被写体像から所定の特徴を有する物体を検出する検出手段、上記検出手段で検出した所定の特徴を有する物体が所定時間静止しているかを判断する静止判断手段、上記静止判断手段で静止と判断された上記所定の特徴を有する物体の当該画像中での位置に基づいて当該画像中の一部範囲を指定する範囲指定手段、上記範囲指定手段で当該画像中の一部範囲が指定された場合に、当該一部範囲が決定したことを報知する報知手段、上記報知手段による報知後に上記範囲指定手段によって指定された当該一部範囲を撮影するよう制御する撮影制御手段として機能させることを特徴とする。
【手続補正１７】
【補正対象書類名】明細書
【補正対象項目名】００２１
【補正方法】変更
【補正の内容】
【００２１】
本発明によれば、撮像装置の撮影範囲を確認せずとも、被写体側で所望する撮影範囲をより確実に指定することが可能となる。